(57)【要約】　　　（修正有）【課題】正方形の大幅布で立体状のバンダナ風帽子を体裁良く、かつ安価につくる。【解決手段】帽子本体が、正方形に裁断した大幅の布１を対角線上で直角二等辺三角形状に二つ折りした三角巾３からなる。三角巾３の左右の各等辺のほぼ中央部分には、三角巾３を構成する表裏の布地どうしを縫い付けることによって、所定の上下長さを有する襞が形成されている。各等辺において、各襞の部分を長さ方向の中央で曲げて襞上半部と襞下半部とを突き合わせ状になるように縫い止める。三角巾３の頂角部９を三角巾３の裏側に折り曲げて頂角部９の先端を三角巾３に縫い付けることにより、頂角部９で挿通口１０を形成する。三角巾３の二つ折りされた底辺６を含む左右端部１１・１１が、前記挿通口１０に左右方向から差し違え状態に差し込めるようになっている。【選択図】　　図１
0003100549.tif 000002
【実用新案登録請求の範囲】
【請求項１】
　帽子本体が、正方形に裁断した大幅の布１を対角線２上で直角二等辺三角形状に二つ折りした三角巾３からなり、
　三角巾３の左右の各等辺５・５のほぼ中央部分には、三角巾３を構成する表裏の布地３ａ・３ｂどうしを縫い付けることによって所定の上下長さを有する襞７・７が形成されており、
　各等辺５において、各襞７の部分を長さ方向の中央で曲げて襞上半部と襞下半部とが突き合わせ状になるように縫い止めてあり、
　三角巾３の頂角部９を三角巾３の裏側に折り曲げて頂角部９の先端を三角巾３に縫い付けることにより、頂角部９で挿通口１０が形成されており、
　三角巾３の二つ折りされた底辺６を含む左右端部１１・１１が、前記挿通口１０に左右方向から差し違え状態で出し入れ自在になっていることを特徴とするバンダナ風帽子。
【請求項２】
　各等辺５どうしが、襞７の形成箇所ないしこれの近くで縫い付けられている請求項１記載のバンダナ風帽子。
【請求項３】
　三角巾３の表裏の布地３ａ・３ｂ間には、前記底辺６の中央部分に前記対角線２に沿って左右横長の帯状弾性部材４が介在している請求項１または２記載のバンダナ風帽子。
【請求項４】
　三角巾３の底辺６の中央部分が外側上方に折り返されている請求項１ないし３記載のバンダナ風帽子。
【考案の詳細な説明】
【技術分野】
【０００１】
　本考案は、正方形に裁断された１枚の大幅布を素材にして、これに僅かな縫製の手間を加えるだけで立体的に形成されたバンダナ風の帽子に関する。
【背景技術】
【０００２】
　抗ガン剤治療を受ける患者、とくに女性患者の場合、頭髪の抜け落ちによる精神的苦痛は大きい。それでなくても、病気入院中の女性には、頭髪の手入れが意のままにならない。したがって、とくに病気入院中の女性にとって、周りに異和感がなく使い勝手の良い帽子が望まれる。
【０００３】
　かかる要望に応える帽子の従来例に特許文献１がある。これでは、三角形状の布を用いて、バンダナ風に頭に被るようになっており、三角布を後頭部においてゴム紐で締め付けるようになっている。
【特許文献１】特開２００１−３２１１７号公報
【考案の開示】
【考案が解決しようとする課題】
【０００４】
　しかし、先の公知文献では、三角布にゴム紐を取り付けるのに手間が掛かる。ゴム紐で帽子本体を頭に保持する形式では、頭髪の多寡によってゴム紐による緊迫力が強すぎたり弱すぎたりして、個々人に対応し切れない不利がある。
【０００５】
　そこで本考案の目的は、正方形の大幅布を素材にして、これに必要最小限の縫製をするだけで安価につくれ、体裁よく被れるバンダナ風帽子を得るにある。
【０００６】
　本考案の目的は、頭髪の多寡にかかわらず、頭に確りとしかし窮屈感を与えずに被ることができ、とくに病気入院中の女性が着用して好適なバンダナ風帽子を提供することにある。
【課題を解決するための手段】
【０００７】
　本考案に係るバンダナ風帽子は、これを具体的に説明すると、帽子本体が、図４に示すごとく正方形に裁断した大幅の布１を対角線２上で直角二等辺三角形状に二つ折りした三角巾３からなる。
【０００８】
　三角巾３の左右の各等辺５・５のほぼ中央部分には、図５に示すごとく三角巾３を構成する表裏の布地３ａ・３ｂどうしを縫い付けることによって、所定の上下長さを有する襞７・７が形成されている。これによって、三角巾３は二つ折り状態に維持され、折線となる直線状の底辺６が丸い突曲状になる。
【０００９】
　そのうえで、図６に示すごとく各等辺５において、各襞７の部分を長さ方向の中央で曲げて襞上半部と襞下半部とが突き合わせ状になるように縫い止める。縫い止められた各襞７は、その形成箇所ないしこれの近くで縫い付けてもよい。これにて、三角巾３の全体は、前記底辺６が更に丸く曲げられ、中央部が中凸状に湾曲する立体形状になる。
【００１０】
　三角巾３の頂角部９は、図７に示すごとく三角巾３の裏側に折り曲げて頂角部９の先端を三角巾３に縫い付けることにより、頂角部９で挿通口１０を形成する。かくして、三角巾３の底辺６を含む左右端部１１・１１が、前記挿通口９に左右方向から差し違え状態で出し入れ自在になっていることを特徴とする。
【考案の効果】
【００１１】
　かかる本考案によれば、正方形の大幅布１を二つ折りした三角巾３は、表裏の布地３ａ・３ｂが襞７・７と、頂角部９の先端とにおける縫い付けでズレ動かないよう確りと止め付けられており、１枚物の三角巾とは異なるボリューム感を持つバンダナ風の帽子が得られる。頭に被ったとき、前面および側面からは、三角巾３の布地３ａ・３ｂの裁断線が見えず体裁が良い。
【００１２】
　１枚の正方形の大幅布１を二つ折りして、その三角巾３を部分的に縫い付けるだけで立体形状の帽子が得られるので、安価につくれる利点がある。
【００１３】
　すなわち、本考案によれば、三角巾３の各等辺５において、各襞７の部分を長さ方向の中央で曲げて襞上半部と襞下半部とが突き合わせ状になるように縫い止めることにより、帽子本体は中央部分が中凸の円形状に、つまり立体形状に保形されており、着用者はそのまま頭に被るだけでよく、使い勝ってが良い。
【００１４】
　三角巾３の頂角部９で挿通口１０を形成し、この挿通口１０に三角巾３の左右端部１１・１１を差し違え状（交差状）に通して、左右端部１１・１１の引っ張り力を加減するだけで頭に対する帽子本体の締め付け具合を簡単に調整できる。したがって、頭の大小、頭髪の多寡によく対応できる。
【００１５】
　請求項２記載の本考案に係る帽子によれば、襞７の形成箇所ないしこれの近くで各等辺５どうしが縫い付けられているので、帽子本体の立体的形状をより確りと保形することができる。
【００１６】
　請求項３記載の本考案によれば、着用時の正面および側面が帯状弾性部材４で保形されているので、頭部に対する当たりを柔らかくてフィット感があるうえに、型崩れのない端正なものになる。
【００１７】
　請求項４記載の本考案によれば、形状的にアクセントのあるものとなり、更に型崩れの防止に有利である。
【考案を実施するための最良の形態】
【００１８】
　図面は本考案に係るバンダナ風帽子の実施例を示す。これの帽子本体は、図４に示すごとく正方形に裁断した大幅の布１を対角線２上で直角二等辺三角形状に二つ折りした三角巾３からなる。大幅布１の一辺の長さは６０cmとした。
【００１９】
　大幅布１の裏側中央部位には、対角線２上に、幅１０cm、長さ５０cmの薄いスポンジからなる帯状弾性部材４を当て、必要に応じて接着剤で位置決めする。
【００２０】
　図４（ｂ）において下向きの三角形に表現した三角巾３の左右の各等辺５・５のほぼ中央部分には、図５に示すごとく三角巾３を構成する表裏の布地３ａ・３ｂどうしを縫い付けることによって、７cmの上下長さを有する襞７・７を形成する。すなわち各等辺５のほぼ中央部分を２５cmから７cmに縫い縮める。これによって、まず三角巾３は二つ折り状態に維持され、折線となる直線状の底辺６が丸い突曲状になる。このときの各等辺５は、襞７から頂点（下端）までの長さを１５cm、襞７から底辺６の左右の端（上端）までの長さを２０cmとした。
【００２１】
　次に、各等辺５において、図６に示すごとく前記襞７の部分を長さ方向の中央で曲げて、襞上半部と襞下半部とが突き合わせ状になるよう糸８で止めた。これで三角巾３は、底辺６が更に丸く曲げられる。そして、各等辺５の襞７どうしを止糸１２でその形成箇所ないしこれの近くで止める。これより三角巾３の全体は、中央部が中凸状に湾曲する最終的な立体形状になる。図６はこの状態を三角巾３の裏側から見たものである。
【００２２】
　最後に、下側に位置する三角巾３の頂角部９は、図７に示すごとく三角巾３の裏側に折り曲げて頂角部９の先端を三角巾３に縫い付けることにより、頂角部９で挿通口１０を形成する。なお、先の止糸１２は、これと同時に止めてもよい。かくして、三角巾３の底辺６を含む左右端部１１・１１が、前記挿通口９に左右方向から差し違え状態で出し入れ自在になっている。
【００２３】
　かくして、図１に示すごとく三角巾３の左右端部１１・１１を左右の一方から前記挿通口９にそれぞれクロス状に差し込んで左右の他方から抜き出し、帽子本体を頭に被った状態で三角巾３の抜き出した左右端部１１・１１を横外側方へ引くことにより、頭に帽子本体を確りと保持できる。
【００２４】
　本案帽子を被った状態において、図２に示すごとく、三角巾３の底辺６は左右方向の中央部が着用者の前面に位置する。この状態で底辺６の中央部分は帯状弾性部材４を介して外側上方に折り返すことができる。そのとき、本案帽子の下端の前面部分および左右の側面部分は、着用者の頭部に帯状弾性部材４を介して適度の柔らかさでフィットする。
【図面の簡単な説明】
【００２５】
【図１】本案帽子を着用した状態での後ろ側からみた背面図
【図２】本案帽子を着用した状態での側面図
【図３】本案帽子の平面図
【図４】本案帽子の素材である大幅布と、三角巾とを示す平面図
【図５】三角巾に襞を入れた状態での平面図
【図６】三角巾の襞を縫い止めた状態での底面図
【図７】三角巾の頂角部を縫い止めた状態での底面図
【符号の説明】
【００２６】
１　大幅布
２　対角線
３　三角巾
３ａ・３ｂ　三角巾の布地
４　帯状弾性部材
５　等辺
６　三角巾の底辺
７　襞
８　糸
９　頂角部
１０　挿通口
１１　左右端部
１２　止糸
【図１】
0003100549.tif 000003
【図２】
0003100549.tif 000004
【図３】
0003100549.tif 000005
【図４】
0003100549.tif 000006
【図５】
0003100549.tif 000007
【図６】
0003100549.tif 000008
【図７】
0003100549.tif 000009